(57)【要約】【課題】補正レンズを確実に定位置に固定することが可能で且つ補正レンズでの不都合な像の変形もない水中撮影用レンズ装置を提供する。【解決手段】カメラ本体に装着される交換レンズ２と、ドーム状の光透過面を有し、この光透過面が前記交換レンズの前方を覆うように設けられるドームポート３と、前記交換レンズ２と該ドームポート３との間に配置され、結像面の周辺収差を補正する１枚の補正レンズ４と、前記交換レンズ４に装着され鏡胴とする第１の取付部材５と、該第１の取付部材と協働して前記補正レンズ４を所定位置に取り付け固定するレンズ押さえとする第２の取付部材６とからなる。【選択図】図１
2017009977.tif 000002
【特許請求の範囲】
【請求項１】
カメラ本体に装着される交換レンズと、
ドーム状の光透過面を有し、この光透過面が前記交換レンズの前方を覆うように設けられるドームポートと、
前記交換レンズと該ドームポートとの間に配置され、結像面の周辺収差を補正する１枚の補正レンズと、
前記交換レンズに装着され鏡胴とする第１の取付部材と、
該第１の取付部材と協働して前記補正レンズを所定位置に取り付け固定するレンズ押さえとする第２の取付部材とからなることを特徴とする水中撮影用レンズ装置。
【請求項２】
前記レンズ押えに前記補正レンズの入射面側の隅平坦面部が面接触で当接する内側当接部が形成され、前記鏡胴に前記補正レンズの出射面側の外周部付近が線接触で当接する受け部が形成されていることを特徴とする請求項１記載の水中撮影用レンズ
装置。
【請求項３】
前記補正レンズは入射面が凹面、出射面が凸面となっている１枚の凸レンズ（凸メニスカスレンズ）であることを特徴とする請求項１又は２記載の水中撮影用レンズ装置。
【発明の詳細な説明】
【技術分野】
【０００１】  本発明は、水中撮影に用いるため、カメラに装着されるレンズ装置に関し、特に収差を補正する補正レンズを用いた水中撮影用レンズ装置に関する。
【背景技術】
【０００２】  水中撮影では、カメラ類を防水ハウジングに収納して水中に携行し撮影を行っている。このカメラにはその前面部分の防水を行うためのドームポートが装着される。当該ドームポートは光透過面がドーム状となっており、これにより耐圧性と広角撮影適合性を付与するように作用する。【０００３】  一方、光学的には、前記ドームポートがレンズとして作用するため、結像面に収差が発生して像がぼやけたり色が滲むことがある。これ等の悪影響となる収差を抑制するため、従来、特許文献１では、前記カメラの交換レンズ（ズームレンズ）とドームポートとの間に補正レンズを配置することが開示されている。そして、当該特許文献１における補正レンズは２枚の凸レンズを採用して形成されており、これによって前記交換レンズの光路に対して正の屈折率を付与するように作用させているのである。
【先行技術文献】
【特許文献】
【０００４】
【特許文献１】特許第４３９３０９９号公報
【発明の概要】
【発明が解決しようとする課題】
【０００５】  特許文献１には、前記交換レンズと前記ドームポートとの間に２枚の凸レンズを組み合わせた前記補正レンズが配置されていることが記載されている、しかしこの特許文献１はどのような構造で前記交換レンズと前記ドームポートとの間に前記補正レンズを設けるかが不明であり、仮にこれを実施する場合、前記補正レンズの配置構造に苦慮する原因となっている。特に、当該補正レンズが各部の光軸の光路上で位置ずれすることは好ましくなく、不用意な位置ずれを防止して前記補正レンズを定位置に確実に維持するための構造の開発が望まれている。又、この特許文献１では凸レンズを２枚必要とし、しかもこれを組み合わせて用いなければならない為に、２枚の凸レンズの形状特性を同一に得るのは大変困難なものであった。【０００６】  本発明は、このような問題点を考慮してなされたものであり、補正レンズを確実に定位置に固定することが可能で、しかも周辺部材との経年の位置ずれも生じることなく、そのうえ、１枚の補正レンズの採用で収差の発生の無い水中撮影用レンズ装置を提供することを目的とする。
【課題を解決するための手段】
【０００７】  本発明の水中撮影用レンズ装置は、カメラ本体に装着される交換レンズと、ドーム状の光透過面を有し、この光透過面が前記交換レンズの前方を覆うように設けられるドームポートと、前記交換レンズと該ドームポートとの間に配置され、結像面の周辺収差を補正する１枚の補正レンズと、前記交換レンズに装着され鏡胴とする第１の取付部材と、該第１の取付部材と協働して前記補正レンズを所定位置に取り付け固定するレンズ押さえとする第２の取付部材とからなることを特微とするものである。【０００８】  そして、この場合、リング状の前記補正レンズの光入射面側の外周縁部には外周で廣い面積を確保する為にレンズ隅部を斜め切り欠き形状とし、このレンズ隅部にリング状のレンズ押さえの内側全周に亘って形成したレンズ押さえ当接部を組合せて合致させると、前記レンズ隅部とレンズ押さえ当接部とは全周で広い面接触構造としての構造が確保され後述する鏡胴との点接触部と相俟って確実な補正レンズの押さえの構図が実現できる。又後述するが前記補正レンズは光入射面側が凹レンズ、光出射面側が凸レンズ（凸メニスカスレンズ）の１枚のレンズで有る。
【発明の効果】
【０００９】  本発明によれば、補正レンズの光入射面側のレンズ隅部である外周縁を第２の取付部材であるレンズ押さえのレンズ押さえ当接部に当接させ、他方、補正レンズの光出射面側の外周側部、外周部を第１の取付部材である鏡胴の受け部に挿入配置して、この状態で第２の取付部材である前記レンズ押さえを回し締めすることによって補正レンズが第１の取付部材である鏡胴に確実に固定される。この第１の取付部材である鏡胴は交換レンズに装着され、補正レンズを交換レンズとドームポートとの間の定位置に配置する。このような構造の採用により、補正レンズはこれに接触する各部との経年にわたっての位置ずれはなく、確実に定位置に固定することができ、従って補正レンズでの不都合な像の変形などといった現象も無くなる。
【図面の簡単な説明】
【００１０】
【図１】本発明の一実施形態のレンズ装置の全体を示す断面図である。
【図２】一実施形態における交換レンズ、補正レンズ及びドームポート等を軸方向に並置した配置関係を示す側面図である。
【図３】交換レンズへの取付部材の取付構造を示す断面図である。
【図４】図３におけるＡ部拡大断面図である。
【発明を実施するための形態】
【００１１】  図１乃至図４は、本発明の一実施形態の水中撮影用レンズ装置１（以下、レンズ装置１と称する。）であり、図１は全体の断面図、図２は交換レンズ及びドームポートの配置を示す概略的な側面図である。図１に示すように、レンズ装置１は、交換レンズ２と、ドームポート３と、補正レンズ４と、第１及び第２の取付部材５及び６を備えている。この場合、第１の取付部材５は鏡胴であり、第２の取付部材６はレンズ押さえである。
【００１２】  又、前記交換レンズ２はカメラ本体（図示省略）に交換可能に装着されるもので、この場合当該交換レンズ２がズームレンズでは、フォーカスレンズ、変倍レンズ、結像レンズ、色分解プリズム等の光学部材の組み合わせによって構成され、これら光学部材が筐体の内部に配置される構造が一般的である。
【００１３】前記交換レンズ２の前方側（図の左側）は水中の被写体側であり、この前方側にある開口部のリング状内側には交換レンズ側ネジ部７があって、この交換レンズ側ネジ部７に鏡胴５の鏡胴ネジ部８が図のように螺合し、前記交換レンズ側ネジ部７或いは鏡胴ネジ部８側のいずれかの匡体の回動で両者は互いに脱着できるようになっている（図４参照）。
【００１４】  一方、前記ドームポート３は交換レンズ２の前方側（図の左側）を覆うように配設され、この場合当該ドームポート３はポリカーボネート樹脂、アクリル樹脂等の透明樹脂或いはガラス等の材料が選択されて全体が形成される。又、当該ドームポート３はドーム形状でなり、光の透過が可能な透過部所は前記交換レンズ２の前方を覆う構造となっている。
【００１５】又、この場合前記ドームポート３は図１及び図２に示す如く、ドーム状の中心が前記交換レンズ２及び補正レンズ４の光軸Ｗと一致するように配置される。そして、前記交換レンズ２を内装した中間リング９の先端開口側は先端リング１０が取り付けられこの先端リング１０に前記ドームポート３の外周縁が取り付けられる。
【００１６】この場合前記中間リング９は前記ドームポート３と前記補正レンズ４との間の長さを調整するためのものであり光軸Ｗ方向に延びた筒形状を採用している。そしてこの中間リング９は必要に応じて数個用いられる場合がある。又、前記ドームポート３は中間リング９と固定されている先端リング１０に強固に取り付けられ、これによってドームポート３の固定化を図っている。この場合、前記ドームポート３、先端リング１０及び中間リング９の各取付箇所は液密構造としている。
【００１７】  前記鏡胴５の開口側（図４の左側）は外周方向で環状で空間の受け部１１が切り欠き形成してある、断面でみると空間の受け部１１は階段構造を構成している。この受け部１１に補正レンズ４の外周側部１２が配置される。この階段構造に連続して前記鏡胴５の先端開口部（図４の左側）内周には鏡胴開口ネジ１３がネジ開口している。この鏡胴開口ネジ１３には断面略台形のレンズ押え６（第２の取り付け部材）のレンズ押さえネジ部１４が螺合する。
【００１８】そして、当該断面略台形のレンズ押さえ６の内周は断面で見ると平坦な最頂面部Ｘとこれに続く斜面部Ｙとこれに続く平面部Ｚとから構成されこれらでレンズ押さえ当接部Ｋを構成していて、レンズ押え６を回動すると該レンズ押ネジ部１４が鏡胴開口ネジ部１３上を内側に或いは外側に歯合して進退移動する構造にしている。
【００１９】次に補正レンズ４の取り付は前記補正レンズ４の光入射面側を前記ドームポート３側にし、光出射面側を交換レンズ２側にして鏡胴５及びレンズ押え６間に取り付ける。この場合、前記補正レンズ４の光入射面側の縁部外周は所謂面取り加工により前記斜面部Ｙ面と平行に面接触できるようにレンズ隅部Ｈを形成している。
【００２０】つまり前記斜面部Ｙの外周面とこれに対面するレンズ隅部Ｈの外周面とは互いが平行になるように且つ平滑面となるように加工し、両者面が均一に面接触出来るように積極的に面加工している。又、同様に前記平面部Ｚの外周面と前記補正レンズ４の外周部１５の外周面とが均一に面接触できるように加工形成することは勿論である。これによって補正レンズ４の縁部外周の箇所の面はレンズ押え６のレンズ押え当節部Ｋの補正レンズ４側の面に広い範囲で接触できるものになる。
【００２１】これによって面接触箇所が増えたので補正レンズ４の鏡胴５に取り付ける際、緩むことが無くなる。そのうえ、面での接触箇所の増加で前記補正レンズ４への負荷が一点に限ら無くなり、従って補正レンズの最角部で起こりがちな補正レンズ４の割れやカケを防止することができるものである。
【００２２】以上のように構成した本発明構成の補正レンズ４をレンズ押え６によって鏡胴５に締め付け取り付ける手順は、先ず前記補正レンズ４のリング状の外周部１５を鏡胴５の受け部１１に設置し、その後、鏡胴開口ネジ１３に前記レンズ押え６のレンズ押えネジ部１４を螺合する。
【００２３】この状態で前記レンズ押え６を螺合回転すると、該レンズ押え６は矢印Ｑ方向に進む。これによって前記斜面部Ｙが補正レンズ４のレンズ隅部Ｈに外周での面で当接し、この当接での反発する力が徐々に強くなると外周部１５の最外周は矢印Ｅの方向に強く押される。
【００２４】これによって外周部１５が受け部１１内で図示の点接触部Ｇで点接触であった箇所が点接触から徐々に面接触となり、これらの箇所で丁度スプリング座金のような機能となり強固に補正レンズ４が取り付く状態になる。これは最頂面部Ｘ、斜面部Ｙ及び平面部Ｚからなる面がレンズ隅部Ｈを含む面に広く面接触で接触する構造であるからで、より一層の強固な補正レンズ４の鏡胴５に対する固定が実現できるのである。
【００２５】尚本発明の場合、前記補正レンズ４は前述し且つ図３及び図４でも示したように、その光入射面側はドームポート３側で形状は凹型の凹面で、光出射面側は交換レンズ２側で形状は凸型の凸面とした１枚の凸レンズ（凸メニスカスレンズ）によって形成される。それ故カメラ本体の結像面に発生する像面湾曲等の収差を補正するようにも作用するのである。
【００２６】又本発明は上記実施形態に限らず、前記補正レンズ４の外周部１５を光の乱反射、ロス防止のため黒塗りとすることも有効でありその要旨を逸脱しない範囲で種々応用が可能であること勿論である。
【符号の説明】
【００２７】１…レンズ装置、２…交換レンズ、３…ドームポート、４…補正レンズ、５…鏡胴、６…レンズ押え、７…交換レンズ側ネジ部、８…鏡胴ネジ部、９…中間リング、１０…先端リング、１１…受け部、１２…外周側部、１３…鏡胴開口ネジ、１４…レンズ押えネジ部、１５…外周部、Ｗ…光軸、Ｘ…最頂面部、Ｙ…斜面部、Ｋ…レンズ押え当接部、Ｈ…レンズ隅部、Ｚ…平面部、Ｇ…点接触部
【図１】
2017009977.tif 000003
【図２】
2017009977.tif 000004
【図３】
2017009977.tif 000005
【図４】
2017009977.tif 000006